(57)【要約】【課題】通信の発信者の側で転送の可否を決定することができる通信端末を提供する。【解決手段】本発明が適用された電話端末１００は、呼処理信号入力装置１１５を介して着信した電話通信を、代替通信先格納エリア１５１に予め設定されている転送先に転送する。また、この電話端末１００は、呼処理信号入力装置１１５を介して電話通信の発信元から、転送の開始あるいは禁止を指示する信号を受けて、電話通信の転送を開始し、あるいは禁止する。さらに、この電話端末１００は、呼処理信号入力装置１１５を介して電話通信の呼を受けたときに、転送情報格納エリア１５２に格納されている情報を発信元に、その電話通信が通話状態に移行する前に送信し、その通知が送信された後で通信の転送を実行する。【選択図】　　　　図１
2004048310.tif 000002
【特許請求の範囲】
【請求項１】
着信した通信を、予め設定されている転送先に転送する転送部と、
前記通信の発信元から、転送の開始あるいは禁止の指示を受け、その指示に応じて、前記転送部に該通信の転送を開始させ、あるいは該転送を禁止する転送制御部とを備えたことを特徴とする通信端末。
【請求項２】
着信した通信を、予め設定されている転送先に転送する転送部と、
前記通信の呼を受けたときに、該通信の発信元に対し、該通信を転送する旨の通知を、該通信が通話状態に移行する前に送信する通知部と、
前記通知部によって通知が送信された後で、前記転送部に前記通信の転送を実行させる転送起動部とを備えたことを特徴とする通信端末。
【請求項３】
転送が有効な時間帯を設定され、その時間帯を過ぎた場合に、前記転送部による通信の転送を禁止する転送停止部を備えたことを特徴とする請求項１または２記載の通信端末。
【発明の詳細な説明】
【０００１】
【発明の属する技術分野】
本発明は、携帯電話端末やＩＳＤＮ電話端末やファクシミリ端末などといった通信端末に関し、得に、着信した通信を転送する機能を有する通信端末に関する。
【０００２】
【従来の技術】
従来より、発信者からの電話通信を、着信者によって事前登録された転送先に転送する転送サービスや電話端末が知られているが、従来の転送サービス等では、着信者の意思だけで転送の可否が決定されている。即ち、着信者が転送サービスを登録すれば、転送サービスを登録した後から、その転送サービスを解除するまでの間は、全ての電話通信が転送されることとなる。
【０００３】
【発明が解決しようとする課題】
しかし、着信者が商談中や接客中などで通話ができないときに、秘書などの代替通信先への転送を登録する場合などにおいて、本来は転送が不要な不急の電話通信も含めた全ての電話通信が転送されてしまうと、秘書などの代替通信先で全ての電話通信に対して応答して緊急か否かを判断する手間が生じる。
【０００４】
また、不急の電話通信も含めた全ての電話通信が転送されると、本来は転送が不要な電話通信が転送される分だけ、それらの転送で使用されるシステムや通信網のリソースが余分に使用されるという問題を生じるし、転送の必要性がない通信が転送されると通信費の無駄であるという問題も生じる。
【０００５】
【課題を解決するための手段】
本発明は、上記事情に鑑み、通信の発信者の側で転送の可否を決定することができる通信端末を提供することを目的とする。
【０００６】
上記目的を達成する本発明の第１の通信端末は、着信した電話通信を、予め設定されている転送先に転送する転送部と、
上記電話通信の発信元から、転送の開始あるいは禁止を指示する信号を受け、その信号に応じて、転送部に電話通信の転送を開始させ、あるいはその転送を禁止する転送制御部とを備えたことを特徴とする。
【０００７】
また、上記目的を達成する本発明の第２の通信端末は、着信した電話通信を、予め設定されている転送先に転送する転送部と、
上記電話通信の呼を受けたときに、その電話通信の発信元に対し、その電話通信を転送する旨の通知を、その電話通信が通話状態に移行する前に送信する通知部と、
通知部によって通知が送信された後で、転送部に上記電話通信の転送を実行させる転送起動部とを備えたことを特徴とする。
【０００８】
本発明の第１及び第２の通信端末は、携帯電話端末やＩＳＤＮ電話端末に適用することができる。
【０００９】
本発明の第１の通信端末によれば、所定の信号によって発信側で転送の可否を決定することができる。また、本発明の第２の通信端末によれば、発信側は、電話通信が通話状態に移行する前に通知を受けることにより、通話状態に移行する前に転送可否を決定することができ、例えば転送が不要であれば電話通信を切るなどというように対処することができる。
【００１０】
このように発信者側に転送の可否決定が任されることにより、不要な転送が抑えられるので、転送先での負担が軽減されるとともに、システムやネットワークのリソース使用量も軽減される。
【００１１】
本発明の通信端末において、上記通知部は、ショートメッセージサービスを利用した通知を送信するものであってもよく、あるいは、電子メールを利用した通知を送信するものであってもよい。
【００１２】
ここで「電子メール」には携帯メールも含まれる。
【００１３】
また、本発明の通信端末において、上記転送部は、コールデフレクションサービスを用いて電話通信を転送するものであってもよく、コールトランスファーサービスを用いて電話通信を転送するものであってもよく、あるいは、コールフォーワーディングノーリプライを用いて電話通信を転送するものであってもよい。
【００１４】
本発明の通信端末は、転送が有効な時間帯を設定され、その時間帯を過ぎた場合に、転送部による電話通信の転送を禁止する転送停止部を備えることが好適である。
【００１５】
このような転送停止部を備えた通信端末によれば、転送が必要であることが予めわかっている時間帯を設定することができ、その時間帯を過ぎると転送が禁止されるので、不要な転送が抑えられる。
【００１６】
【発明の実施の形態】
以下、本発明の実施形態について説明する。
【００１７】
図１は、本発明の通信端末の一実施形態を示す図である。
【００１８】
本発明の通信端末は携帯電話端末やＩＳＤＮ電話端末に適用することができるが、ここでは、携帯電話端末に適用した例について説明する。
【００１９】
この電話端末１００には、入力装置群１１０と、出力装置群１２０と、制御装置１３０と、タイマ群１４０と、記憶装置１５０が備えられている。本実施形態では、これらの構成部分が複合的に動作することにより、本発明にいう転送部、転送制御部、通知部、転送起動部、転送停止部として機能する。
【００２０】
入力装置群１１０としては、キーボードやテンキーによる入力を受け付けるキー入力装置１１１と、カーソルおよび実行キーやペンタッチなどによってディスプレイから入力を受け付けるディスプレイ入力装置１１２と、マイクによる音声入力を受け付ける音声入力装置１１３と、アンテナを介して通話信号の入力を受け付ける通話路入力装置１１４と、呼処理の接続制御を表す信号の入力を受け付ける呼処理信号入力装置１１５が設けられている。
【００２１】
出力装置群１２０としては、ディスプレイに文字や画像を表示するディスプレイ出力装置１２１と、スピーカによる音声出力を行う音声出力装置１２２と、アンテナを介して通話信号を出力する通話路出力装置１２３と、呼処理の接続制御を表す信号を出力する呼処理信号出力装置１２４が設けられている。
【００２２】
タイマ群１４０としては、代替通信先への転送を開始するまでの待機時間の経過を計測する転送タイマ１４１と、転送を要求する信号を判定するための転送要求監視タイマ１４２と、留守録を開始するまでの待機時間の経過を計測する留守録要求監視タイマ１４３と、代替通信先への転送が許容された時間帯の経過を計測する転送時間タイマ１４４が備えられている。
【００２３】
記憶装置１５０には、代替の通信先、つまり転送先の電話番号が保存される代替通信先格納エリア１５１と、転送が行われることを表す転送情報が保存される転送情報格納エリア１５２と、留守録に録音された音声が符号化されて格納される留守録格納エリア１５３と、発信者の電話番号に対応するメールアドレスが格納されるメールアドレス格納エリア１５４が設けられている。なお、メールアドレス格納エリア１５４に格納されるメールアドレスは、メールサービスにて代替通信先の電話番号や上記転送情報を通知するときのあて先となる。
【００２４】
制御装置１３０は、入力装置群１１０の各入力装置から入力された情報や信号の処理、記憶装置１５０に対する情報の格納や取り出し、および出力装置群１２０から出力される情報や信号の処理を、タイマ群１４０による計測の結果などに基づいて実行する。
【００２５】
この図１に示す電話端末１００には、通常の電話端末において通話が行われる場合と同様な動作を行う通話モードが存在するほか、着信した電話通信を転送する複数の転送モードが存在しており、以下、各転送モードについて説明する。なお、本実施形態の電話端末には図１に示す各構成要素が備えられているが、各転送モードの説明では、説明に不要な構成要素の図示を適宜に省略する。
【００２６】
まず、本実施形態の電話端末１００における第１の転送モードについて説明する。
【００２７】
図２は、第１の転送モードにおける着信前の動作手順の前段を示す図である。
【００２８】
電話端末１００のユーザは、キー入力装置１１１に設けられた命令入力用の特殊なキーの操作、あるいはテンキーなどを使った特別な操作手順により、代替通信先の電話番号を保存することを指示する命令を入力し（ステップＳ１０１）、キー入力装置１１１は、その入力された命令を制御装置１３０に通知する（ステップＳ１０２）。なお、命令の入力には、ディスプレイ入力装置１１２が用いられてもよく、キー入力装置１１１による入力と全く同等に作用する。以下では、ディスプレイ入力装置１１２が用いられる命令入力については説明を省略し、キー入力装置１１１による命令入力のみについて説明する。
【００２９】
命令が通知された制御装置１３０は、代替通信先の電話番号を要求する旨の出力をディスプレイ出力装置１２１および音声出力装置１２２に指示し（ステップＳ１０３）、ディスプレイ出力装置１２１および音声出力装置１２２は、その旨の音声や文字列を出力する（ステップＳ１０４）。
【００３０】
そのような出力を確認した電話端末１００のユーザは、キー入力装置１１１を操作して代替通信先の電話番号を入力し（ステップＳ１０５）、キー入力装置１１１は、その電話番号を制御装置１３０に通知する（ステップＳ１０６）。制御装置１３０は、その代替通信先の電話番号を、代替通信先格納エリア１５１に格納し（ステップＳ１０７）、転送に関する情報を要求する旨の出力をディスプレイ出力装置１２１および音声出力装置１２２に指示し（ステップＳ１０８）、ディスプレイ出力装置１２１および音声出力装置１２２は、その旨の音声や文字列を出力する（ステップＳ１０９）。
【００３１】
そのような出力を確認した電話端末１００のユーザは、音声入力装置１１３に、代替通信先やいつまで転送されるかなどといった、転送に関わる情報を音声で入力し（ステップＳ１１０）、音声入力装置１１３は、その音声を電気信号に変換して制御装置１３０に通知する（ステップＳ１１１）。制御装置１３０は、その電気信号をさらにデジタル符号化して音声データを生成し、その音声データを転送情報格納エリア１５２に格納する（ステップＳ１１２）。
【００３２】
図３は、第１の転送モードにおける着信前の動作手順の後段を示す図である。
【００３３】
図２のステップＳ１１２の後、制御装置１３０は、代替通信先に転送する迄の待機時間と、転送を実行する時間帯とを要求する旨の出力を、ディスプレイ出力装置１２１および音声出力装置１２２に指示し（ステップＳ１１３）、ディスプレイ出力装置１２１および音声出力装置１２２は、その旨の音声や文字列を出力する（ステップＳ１１４）。そのような出力を確認した電話端末１００のユーザは、キー入力装置１１１を操作して、待機時間（例えば２０秒）や転送時間帯（例えば転送開始から６０分）を入力し（ステップＳ１１５）、キー入力装置１１１は、その待機時間や転送時間帯を制御装置１３０に通知する（ステップＳ１１６）。制御装置１３０は、その待機時間を転送タイマ１４１に設定し、転送時間帯を転送時間タイマ１４４に設定する（ステップＳ１１７）。
【００３４】
第１の転送モードでは、以上説明したような設定などが着信前に実行されることにより、電話端末１００の状態が、着信時に電話通信を転送する状態に移行する。なお、転送時間タイマ１４４は、このように電話端末１００の状態が移行したときに計測を開始する。
【００３５】
図４は、第１の転送モードにおける着信時の動作手順を示す図である。
【００３６】
まず、呼処理信号入力装置１１５で着信要求が受信され（ステップＳ１１８）、呼処理信号入力装置１１５は、その着信要求を制御装置１３０に通知する（ステップＳ１１９）。
【００３７】
制御装置１３０は、着信要求の中に含まれる呼情報に基づいて音声呼か否かを判断し、音声呼ならば、代替通信先格納エリア１５１に代替通信先の電話番号が格納されているか否かを確認する（ステップＳ１２０）。代替通信先の電話番号が格納されていることを確認すると制御装置１３０は、呼処理信号出力装置１２４にアラート信号（ＡＬＥＲＴ）や応答信号（ＣＯＮＮ）の返信を指示し（ステップＳ１２１）、呼処理信号出力装置１２４はアラート信号（ＡＬＥＲＴ）や応答信号（ＣＯＮＮ）を返信する（ステップＳ１２２）。これにより電話通信が通話状態となる。
【００３８】
また、制御装置１３０は、転送タイマ１４１に計測開始を指示し（ステップＳ１２３）、転送情報格納エリア１５２に格納されている符号化された音声データを読み出す（ステップＳ１２４）。そして、制御装置１３０は、読み出した音声データを逆符号化して音声信号に変換して通話路出力装置１２３に送り（ステップＳ１２５）、通話路出力装置１２３はその音声信号を返信する（ステップＳ１２６）。これにより、発信者に、代替通信先やいつまで転送されるかなどといった情報が通知され、発信者は、転送が不要であると判断した場合には転送の前に電話通信を切断するなどというように対処する。
【００３９】
電話通信が切断されなかった場合には、制御装置１３０は、転送タイマのタイムアウトを待ち、タイムアウトを検出したら（ステップＳ１２７）、代替通信先の電話番号を付与した切断信号（ＤＩＳＣ）を呼処理信号出力装置１２４に通知し（ステップＳ１２８）、呼処理信号出力装置１２４は、その切断信号（ＤＩＳＣ）を電話網に出力する（ステップＳ１２９）。これにより、コールデフレクションサービスによる電話通信の転送が実行される。
【００４０】
図５は、第１の転送モードにおける転送解除の動作手順を示す図である。
【００４１】
電話端末１００のユーザがキー入力装置１１１に設けられた命令入力用の特殊なキーの操作、あるいはテンキーなどを使った特別な操作手順により、転送解除の命令を入力し（ステップＳ１３０）、キー入力装置１１１がその命令を制御装置１３０に通知した（ステップＳ１３１）場合、および、転送時間タイマ１４４がタイムアップして制御装置１３０に通知された（ステップＳ１３２）場合に、制御装置１３０は、代替通信先格納エリア１５１に格納されているデータと、転送情報格納エリア１５２に格納されているデータを初期化する（ステップＳ１３３）。これにより転送が解除され、通常の通話モードに移行する。また、制御装置１３０は、転送を解除した旨の出力をディスプレイ出力装置１２１および音声出力装置１２２に指示し（ステップＳ１３４）、ディスプレイ出力装置１２１および音声出力装置１２２は、その旨の音声や文字列を出力する（ステップＳ１３５）。
【００４２】
上述した第１の転送モードの説明では、転送タイマ１４１を用いて待機時間を計測する例について説明したが、転送情報格納エリア１５２に格納されている音声データの再生によって待機時間計測を兼ねることもできる。以下、第１の転送モードのこのような変形例について説明する。
【００４３】
図６は、第１の転送モードの変形例における着信時の動作手順を示す図である。
【００４４】
この変形例でも上述した説明と同様に、ステップＳ１１８〜ステップＳ１２２が順次に実行されて、呼処理信号出力装置１２４からアラート信号（ＡＬＥＲＴ）や応答信号（ＣＯＮＮ）が出力される。
【００４５】
その後、制御装置１３０は、転送情報格納エリア１５２に格納されている符号化された音声データを読み出す（ステップＳ１２３’）。そして、制御装置１３０は、読み出した音声データを逆符号化して音声信号に変換して通話路出力装置１２３に送り（ステップＳ１２４’）、通話路出力装置１２３はその音声信号を返信する（ステップＳ１２５’）。これにより、転送情報格納エリア１５２に格納されている音声データが再生されて、発信者に、代替通信先やいつまで転送されるかなどといった情報が通知され、発信者は、転送が不要であると判断した場合には、情報の通知が終わる前に電話通信を切断するなどというように対処する。
【００４６】
電話通信が切断されなかった場合には、制御装置１３０は、音声データの再生終了時に、代替通信先の電話番号を付与した切断信号（ＤＩＳＣ）を呼処理信号出力装置１２４に通知し（ステップＳ１２６’）、呼処理信号出力装置１２４は、その切断信号（ＤＩＳＣ）を電話網に出力する（ステップＳ１２７’）。これにより、コールデフレクションサービスによる電話通信の転送が実行される。
【００４７】
次に、第２の転送モードについて説明する。この第２の転送モードでは、発信者が転送と留守録とを選択することができる。第２の転送モードにおける着信前の動作手順は、転送タイマ１４１の設定に替えて、留守録要求監視タイマ１４３の設定が行われることを除いて、第１の転送モードにおける着信前の動作手順と同等であるので、説明を省略する。
【００４８】
図７は、第２の転送モードにおける着信時の動作手順を示す図である。
【００４９】
第２の転送モードでも、まず、呼処理信号入力装置１１５で着信要求が受信され（ステップＳ２０１）、呼処理信号入力装置１１５は、その着信要求を制御装置１３０に通知する（ステップＳ２０２）。制御装置１３０は、着信要求の中に含まれる呼情報に基づいて音声呼か否かを判断し、音声呼ならば、代替通信先格納エリア１５１に代替通信先の電話番号が格納されているか否かを確認する（ステップＳ２０３）。代替通信先の電話番号が格納されていることが確認されると、制御装置１３０は呼処理信号出力装置１２４にアラート信号（ＡＬＥＲＴ）や応答信号（ＣＯＮＮ）の返信を指示し（ステップＳ２０４）、呼処理信号出力装置１２４はアラート信号（ＡＬＥＲＴ）や応答信号（ＣＯＮＮ）を返信する（ステップＳ２０５）。
【００５０】
ここで、第２の転送モードでは、制御装置１３０は、留守録要求監視タイマ１４３に計測開始を指示し（ステップＳ２０６）、転送情報格納エリア１５２に格納されている符号化された音声データを読み出す（ステップＳ２０７）。そして、制御装置１３０は、読み出した音声データを逆符号化して音声信号に変換して通話路出力装置１２３に送り（ステップＳ２０８）、通話路出力装置１２３はその音声信号を返信する（ステップＳ２０９）。これにより、発信者に、代替通信先やいつまで転送されるかなどといった情報が通知される。発信者が、転送は不要であると判断した場合には、発信者はそのまましばらく待機する。制御装置１３０は、留守録監視タイマ１４３のタイムアウトを待ち、タイムアウトを検出したら（ステップＳ２１０）留守録を開始する。
【００５１】
留守録が開始されると、発信者からの音声信号が通話路入力装置１１４に入力され（ステップＳ２１１）、通話路入力装置１１４は、入力された音声信号を制御装置１３０に通知する（ステップＳ２１２）。制御装置１３０は、その音声信号を符号化して留守録格納エリア１５３に格納する。
【００５２】
この第２の転送モードでは、留守録監視タイマ１４３がタイムアウトする前に所定の転送要求が発信者から発せられると転送が実行される。
【００５３】
図８及び図９は、第２の転送モードで転送が実行されるときの動作手順を示す図であり、図８は、発信側での動作手順を示し、図９は、着信側での動作手順を示している。
【００５４】
ここでは、発信側の電話端末１０１は、図１に示す着信側の電話端末１００と同等な電話端末であり、重複説明は省略する。
【００５５】
発信側の電話端末１０１のユーザ（発信者）は、キー入力装置１１１に設けられた命令入力用の特殊なキーの操作、あるいはテンキーなどを使った特別な操作手順により、転送要求を発することを指示する命令を入力し（図８のステップＳ２１３）、キー入力装置１１１は、その入力された命令を制御装置１３０に通知する（図８のステップＳ２１４）。そのような命令を通知された制御装置１３０は、ＳＵＳＰＥＮＤメッセージとＲＥＳＵＭＥメッセージを連続して生成し、呼処理信号出力装置１２４に送る（図８のステップＳ２１５）。呼処理信号出力装置１２４は、それらＳＵＳＰＥＮＤメッセージとＲＥＳＵＭＥメッセージを着信側に宛てて送信する（図８のステップＳ２１６）。
【００５６】
着信側の電話端末１００では、呼処理信号入力装置１１５が、それらＳＵＳＰＥＮＤメッセージとＲＥＳＵＭＥメッセージを連続に受信し（図９のステップＳ２１７）、各メッセージ受信を制御装置１３０に通知する（図９のステップＳ２１８）。
【００５７】
制御装置１３０は、ＳＵＳＰＥＮＤメッセージが通知されると転送要求監視タイマに計測を開始させ（図９のステップＳ２１９）、転送要求であるか否かを判別するための時間間隔（例えば１秒）以内にＲＥＳＵＭＥメッセージが通知された場合には、転送要求であると判断して、代替通信先となる電話番号を付与した切断信号（ＤＩＳＣ）を呼処理信号出力装置１２４に通知する（図９のステップＳ２２０）。呼処理信号出力装置１２４は、その切断信号（ＤＩＳＣ）を電話網に出力し（図９のステップＳ２２１）、これにより、コールデフレクションサービスによる電話通信の転送が実行される。
【００５８】
このように、第２の転送モードでは、転送要求を表す信号によって発信者が積極的に転送と留守録とを使い分けることができる。なお、ここに例示した第２の転送モードでは、転送要求を表す信号が採用され、転送要求がないときに留守録が実行されるが、本発明の通信端末は、録音要求を表す信号が採用され、録音要求がないときに転送が実行されるものであってもよい。
【００５９】
第２の転送モードにおける転送解除の動作手順は、第１の転送モードにおける転送解除の動作手順と全く同様であるので説明を省略する。
【００６０】
次に、第３の転送モードについて説明する。この第３の転送モードでは、転送に関わる情報が、文字や記号によるメッセージで発信者に通知される。また、この第３の転送モードでは、電話通信の転送にコールフォーワーディングノーリプライが用いられ、電話通信が通話状態に移る前に転送が実行される。
【００６１】
図１０は、第３の転送モードにおける着信前の動作手順を示す図である。
【００６２】
電話端末１００のユーザは、キー入力装置１１１に設けられた命令入力用の特殊なキーの操作、あるいはテンキーなどを使った特別な操作手順により、代替通信先の電話番号を保存することを指示する命令を入力し（ステップＳ３０１）、キー入力装置１１１は、その入力された命令を制御装置１３０に通知する（ステップＳ３０２）。
【００６３】
命令が通知された制御装置１３０は、代替通信先の電話番号を要求する旨の出力をディスプレイ出力装置１２１および音声出力装置１２２に指示し（ステップＳ３０３）、ディスプレイ出力装置１２１および音声出力装置１２２は、その旨の音声や文字列を出力する（ステップＳ３０４）。
【００６４】
そのような出力を確認した電話端末１００のユーザは、キー入力装置１１１を操作して代替通信先の電話番号を入力し（ステップＳ３０５）、キー入力装置１１１は、その電話番号を制御装置１３０に通知する（ステップＳ３０６）。制御装置１３０は、転送状態が設定されているか否かの判定に用いるために、その代替通信先の電話番号を代替通信先格納エリア１５１に格納する（ステップＳ３０７）。また、制御装置１３０は、コールフォーワーディングノーリプライによる電話通信の転送を電話網に登録するために、その代替通信先の電話番号とコールフォーワーディングノーリプライのアクティベーション要求とを呼処理信号出力装置１２４に通知し（ステップＳ３０８）、呼処理信号出力装置１２４は、代替通信先の電話番号とコールフォーワーディングノーリプライのアクティベーション要求とを電話網に出力する（ステップＳ３０９）。
【００６５】
電話通信の転送を電話網に登録した後、制御装置１３０は、転送に関する情報を要求する旨の出力をディスプレイ出力装置１２１および音声出力装置１２２に指示し（ステップＳ３１０）、ディスプレイ出力装置１２１および音声出力装置１２２は、その旨の音声や文字列を出力する（ステップＳ３１１）。
【００６６】
そのような出力を確認した電話端末１００のユーザは、キー入力装置１１１を操作して、代替通信先やいつまで転送されるかなどといった、転送に関わる情報をキャラクタ（文字や記号）として入力し（ステップＳ３１２）、キー入力装置１１１は、その情報を制御装置１３０に通知する（ステップＳ３１３）。制御装置１３０は、その情報をキャラクタベースのデータとして転送情報格納エリア１５２に格納する（ステップＳ３１４）。
【００６７】
図１１は、第３の転送モードにおける着信時の動作手順を示す図である。
【００６８】
この第３の転送モードにおける着信時には、先ず、第１の転送モードのステップＳ１１８〜ステップＳ１２０と全く同様な動作手順が実行される。即ち、まず、呼処理信号入力装置１１５で着信要求が受信され（ステップＳ３１５）、呼処理信号入力装置１１５は、その着信要求を制御装置１３０に通知する（ステップＳ３１６）。制御装置１３０は、着信要求の中に含まれる呼情報に基づいて音声呼か否かを判断し、音声呼ならば、代替通信先格納エリア１５１に代替通信先の電話番号が格納されているか否かを確認する（ステップＳ３１７）。
【００６９】
第３の転送モードでは、代替通信先の電話番号が格納されていることが確認されると、制御装置１３０は呼処理信号出力装置１２４にアラート信号（ＡＬＥＲＴ）の返信を指示し（ステップＳ３１８）、呼処理信号出力装置１２４はアラート信号（ＡＬＥＲＴ）を返信する（ステップＳ３１９）。これにより、電話通信の呼状態が維持され、通話状態には移行しない。また、コールフォーワーディングノーリプライが電話網に登録されているので、電話網に属しているタイマが待機時間（例えば１０秒）の計測を開始する。
【００７０】
また、制御装置１３０は、転送情報格納エリア１５２に格納されている情報を読み出して（ステップＳ３２０）、呼処理信号出力装置１２４に送り（ステップＳ３２１）、呼処理信号出力装置１２４は、その情報をショートメッセージとして発信者に返信する（ステップＳ３２２）。これにより、発信者に、代替通信先やいつまで転送されるかなどといった情報がショートメッセージで通知され、発信者は、転送が不要であると判断した場合には転送の前に電話通信を切断するなどというように対処する。
【００７１】
電話通信が切断されなかった場合には、コールフォーワーディングノーリプライのタイマがタイムアウトして、電話網から呼処理信号入力装置１１５に切断メッセージが入力され（ステップＳ３２３）、呼処理信号入力装置１１５は、その切断メッセージを制御装置１３０に通知する（ステップＳ３２４）。切断メッセージが通知された制御装置１３０は、切断信号（ＤＩＳＣ）を呼処理信号出力装置１２４に通知し（ステップＳ３２５）、呼処理信号出力装置１２４は、その切断信号（ＤＩＳＣ）を電話網に出力する（ステップＳ３２６）。これにより電話通信が切断され、電話網は、その電話通信を、登録されている代替通信先に自動で転送する。
【００７２】
次に、第４の転送モードについて説明する。この第４の転送モードは、転送に関する情報を携帯メールや電子メールで通知する点を除いて第３の転送モードと同等であるので、以下では相違点のみについて説明する。
【００７３】
図１２は、第４の転送モードにおける着信前の動作手順を示す図である。
【００７４】
第４の転送モードでは、図１０に示すステップＳ３０１〜ステップＳ３１４の動作手順と同等な動作手順が実行された後に、制御装置１３０が、メールアドレスの入力を要求する旨の出力をディスプレイ出力装置１２１および音声出力装置１２２に指示し（ステップＳ４０１）、ディスプレイ出力装置１２１および音声出力装置１２２は、その旨の音声や文字列を出力する（ステップＳ４０２）。
【００７５】
そのような出力を確認した電話端末１００のユーザはキー入力装置１１１を操作して、メールアドレスを、発信者の電話番号毎に入力する（ステップＳ４０３）。キー入力装置１１１は、そのメールアドレスを制御装置１３０に通知し（ステップＳ４０４）、制御装置１３０は、メールアドレス格納エリア１５４にそのメールアドレスを、発信者の電話番号に対応付けて格納する（ステップＳ４０５）。
【００７６】
図１３は、第４の転送モードにおける着信時の動作手順を示す図である。
【００７７】
第４の転送モードにおける着信時には、先ず、呼処理信号入力装置１１５で着信要求が受信され（ステップＳ４０６）、呼処理信号入力装置１１５は、その着信要求を制御装置１３０に通知する（ステップＳ４０７）。制御装置１３０は、着信要求の中に含まれる呼情報に基づいて音声呼か否かを判断し、かつ、発信者の電話番号を識別する。そして、音声呼であり、かつ、発信者の電話番号が識別できたときは、制御装置１３０は、代替通信先格納エリア１５１に代替通信先の電話番号が格納されているか否かを確認する（ステップＳ４０８）。
【００７８】
代替通信先格納エリア１５１に代替通信先の電話番号が格納されていることが確認されると共に、識別された電話番号が、メールアドレス格納エリア１５４に登録された発信者電話番号である場合には、制御装置１３０は、呼処理信号出力装置１２４にアラート信号（ＡＬＥＲＴ）の返信を指示し（ステップＳ４０９）、呼処理信号出力装置１２４はアラート信号（ＡＬＥＲＴ）を返信する（ステップＳ４１０）。また、制御装置１３０は、転送情報格納エリア１５２に格納されている情報と、発信者の電話番号に対応付けられてメールアドレス格納エリア１５４に登録されているメールアドレスを読み出して（ステップＳ４１１）、呼処理信号出力装置１２４に送り（ステップＳ４１２）、呼処理信号出力装置１２４は、その情報を携帯メールや電子メールとして出力する（ステップＳ４１３）。
【００７９】
その後の動作手順は第３の転送モードにおける動作手順と同様であるので説明を省略する。
【００８０】
以上で、第４の転送モードの説明を終了する。
【００８１】
なお、上述した第１の転送モードと第２の転送モードでは、コールデフレクションサービスによる電話通信の転送が実行され、第３の転送モードと第４の転送モードでは、コールフォーワーディングノーリプライによる電話通信の転送が実行されるが、本発明の通信端末は、コールトランスファーサービスによる転送を実行するものであってもよい。その場合は、コールトランスファーサービスを利用するための事前契約を電話会社と交わしておくことが必要であり、着信時には、制御装置１３０がフッキング信号を生成し、フッキング信号と代替通信先の電話番号を、呼処理信号出力装置１２４を介して順次に電話網に出力することにより転送が実行される。
【００８２】
また、上記説明では、コールデフレクションサービスによる電話通信の転送は、電話通信が通話状態になった後で転送される場合に利用されるが、コールデフレクションサービスによる電話通信の転送は、電話通信が呼状態のまま転送される場合にも適用可能である。
【００８３】
また、上記説明では、通信端末の一例として電話端末が示されているが、本発明の通信端末は、ファクシミリ通信を受けるファクシミリ端末であってもよく、あるいは、ショートメールや電子メールを受けるメール端末であってもよい。
【００８４】
以下、本発明の種々の形態について付記する。
【００８５】
（付記１）　着信した通信を、予め設定されている転送先に転送する転送部と、
前記通信の発信元から、転送の開始あるいは禁止を指示する信号を受け、その信号に応じて、前記転送部に該通信の転送を開始させ、あるいは該転送を禁止する転送制御部とを備えたことを特徴とする通信端末。
【００８６】
（付記２）　着信した通信を、予め設定されている転送先に転送する転送部と、
前記通信の呼を受けたときに、該通信の発信元に対し、該通信を転送する旨の通知を、該通信が通話状態に移行する前に送信する通知部と、
前記通知部によって通知が送信された後で、前記転送部に前記通信の転送を実行させる転送起動部とを備えたことを特徴とする通信端末。
【００８７】
（付記３）　前記通知部が、ショートメッセージサービスを利用した通知を送信するものであることを特徴とする付記２記載の通信端末。
【００８８】
（付記４）　前記通知部が、電子メールを利用した通知を送信するものであることを特徴とする付記２記載の通信端末。
【００８９】
（付記５）　前記転送部が、コールデフレクションサービスを用いて通信を転送するものであることを特徴とする付記１または２記載の通信端末。
【００９０】
（付記６）　前記転送部が、コールトランスファーサービスを用いて通信を転送するものであることを特徴とする付記１または２記載の通信端末。
【００９１】
（付記７）　前記転送部が、コールフォーワーディングノーリプライを用いて通信を転送するものであることを特徴とする付記１または２記載の通信端末。
【００９２】
（付記８）　転送が有効な時間帯を設定され、その時間帯を過ぎた場合に、前記転送部による通信の転送を禁止する転送停止部を備えたことを特徴とする付記１または２記載の通信端末。
【００９３】
【発明の効果】
以上説明したように、本発明の通信端末によれば、通信の発信者の側で転送の可否を決定することができる。
【図面の簡単な説明】
【図１】本発明の通信端末の一実施形態を示す図である。
【図２】第１の転送モードにおける着信前の動作手順の前段を示す図である。
【図３】第１の転送モードにおける着信前の動作手順の後段を示す図である。
【図４】第１の転送モードにおける着信時の動作手順を示す図である。
【図５】第１の転送モードにおける転送解除の動作手順を示す図である。
【図６】第１の転送モードの変形例における着信時の動作手順を示す図である。
【図７】第２の転送モードにおける着信時の動作手順を示す図である。
【図８】第２の転送モードで転送が実行されるときの発信側での動作手順を示す図である。
【図９】第２の転送モードで転送が実行されるときの着信側での動作手順を示す図である。
【図１０】第３の転送モードにおける着信前の動作手順を示す図である。
【図１１】第３の転送モードにおける着信時の動作手順を示す図である。
【図１２】第４の転送モードにおける着信前の動作手順を示す図である。
【図１３】第４の転送モードにおける着信時の動作手順を示す図である。
【符号の説明】
１００　　電話端末
１１０　　入力装置群
１１１　　キー入力装置
１１２　　ディスプレイ入力装置
１１３　　音声入力装置
１１４　　通話路入力装置
１１５　　呼処理信号入力装置
１２０　　出力装置群
１２１　　ディスプレイ出力装置
１２２　　音声出力装置
１２３　　通話路出力装置
１２４　　呼処理信号出力装置
１３０　　制御装置
１４０　　タイマ群
１４１　　転送タイマ
１４２　　転送要求監視タイマ
１４３　　留守録要求監視タイマ
１４４　　転送時間タイマ
１５０　　記憶装置
１５１　　代替通信先格納エリア
１５２　　転送情報格納エリア
１５３　　留守録格納エリア
１５４　　メールアドレス格納エリア
【図１】
2004048310.tif 000003
【図２】
2004048310.tif 000004
【図３】
2004048310.tif 000005
【図４】
2004048310.tif 000006
【図５】
2004048310.tif 000007
【図６】
2004048310.tif 000008
【図７】
2004048310.tif 000009
【図８】
2004048310.tif 000010
【図９】
2004048310.tif 000011
【図１０】
2004048310.tif 000012
【図１１】
2004048310.tif 000013
【図１２】
2004048310.tif 000014
【図１３】
2004048310.tif 000015